(57)【要約】燃料電池（２）、又は多数の燃料電池（２）を使った燃料電池設備（１）は、これらの燃料電池又は各々の燃料電池（２）の機能性に関する確実な監視が、格別に簡単な手段で可能であるように作動させるのが望ましい。そのために本発明によれば、これらの燃料電池又は各々の燃料電池（２）について、当該燃料電池から供給される出力電流（Ｉ）の一定割合（Ｉ２）を光学活性部材（１２）に流し、この光学活性部材（１２）で生成される出力信号（Ａ）を参照して、当該燃料電池（２）の機能性の程度を推定する。
2004512633.tif 000002
【特許請求の範囲】
【請求項１】
燃料電池（２）を作動させる方法において、燃料電池（２）から供給される出力電流（Ｉ）の一定割合（Ｉ２）を光学活性部材（１２）に流し、この光学活性部材（１２）で生成される出力信号（Ａ）を参照して、当該燃料電池（２）の機能性の程度を推定する方法。
【請求項２】
光学活性部材（１２）としてフォトカプラーを使用する請求項１記載の方法。
【請求項３】
光学活性部材（１２）としてフォトダイオードを使用し、その出力信号（Ａ）を光学センサに供給する請求項１記載の方法。
【請求項４】
光学活性部材（１２）に付属する前置部材（２４）が、燃料電池（２）が事前設定可能な電圧限界値（ＵＧ）の大きさの出力電圧（Ｕ）を出しているときに、光学活性部材（１２）に供給される出力電流（Ｉ）の割合（Ｉ２）が当該光学活性部材の特徴的な閾値電流に相当するように設定されている請求項１から３の１つに記載の方法。
【請求項５】
縦続接続の複数の燃料電池（２）を含む燃料電池設備（１）において、各燃料電池（２）がこれに付属する光学活性部材（１２）によって各々機能性に関して監視される請求項１から４の１つに記載の設備。
【請求項６】
複数の燃料電池（２）を備える燃料電池設備（１）において、燃料電池の出力電極が、負荷回路（４）と並列につながれたサイドループ（２２）を経て各々相互に接続されており、このサイドループに各々光学活性部材（１２）がつながれた設備（１）。
【請求項７】
燃料電池（２）に各々付属する光学活性部材（１２）が、フォトカプラーとして構成された請求項６記載の設備（１）。
【請求項８】
燃料電池（２）に各々付属する光学活性部材（１２）が、フォトダイオードとして構成された請求項６記載の設備（１）。
【請求項９】
フォトダイオードの電流・電圧特性が、燃料電池（２）が事前設定可能な電圧限界値（ＵＧ）の大きさの出力電圧（Ｕ）を出している際、フォトダイオードに供給される出力電流（Ｉ）の割合（Ｉ２）が当該フォトダイオードの特徴的な閾値電流に相当するよう設定される請求項８記載の設備（１）。
【請求項１０】
各フォトダイオードが出力側で光学系を経て付属の光学センサと接続された請求項８又は９記載の設備（１）。
【請求項１１】
各サイドループ（２２）にある１つ又は各光学活性部材（１２）に前置部材（２４）が直列につながれた請求項６から１０の１つに記載の設備（１）。
【請求項１２】
各光学活性部材（１２）に、その出力信号を電気的な診断信号に変換する変換ユニットが付属しており、この診断信号を共通の評価ユニット（２６）に供給可能である請求項６から１１の１項に記載の設備（１）。
【発明の詳細な説明】
【０００１】
本発明は、燃料電池の作動方法、即ち縦続接続された多数の燃料電池を備える燃料電池設備の作動方法並びにこの種の燃料電池設備に関する。
【０００２】
燃料電池は、環境に適合して電力を生成する。即ち燃料電池の内部では、基本的に電気分解と逆のプロセスが進行する。そのため燃料電池では、水素を含む燃料物質が陽極に送られ、酸素を含む補助物質が陰極に送られる。この際陽極と陰極は電解層を介して相互に電気的に分離され、該電解層は燃料物質と酸素の間のイオン交換は許すが、それ以外の点では燃料物質と補助物質の気密な分離を保証する。このイオン交換の結果、燃料物質に含まれる水素は酸素と反応して水になり、燃料物質側の電極、即ち陽極で電子が補給され、補助物質側の電極、即ち陰極で電子が取り込まれる。かくして、燃料電池を作動させると陽極と陰極の間に電位差、即ち電圧が生ずる。このように、高温燃料電池ではセラミックの固体電解質、低温燃料電池では高分子膜として構成される電解層は、反応を互いに分離し、電荷をイオンの形で移行させ、電子短絡を防止する機能を果たす。
【０００３】
この種の燃料電池では、通常使用される物質の電気化学的な電位に基づき、標準的な作動条件の下で約０．６〜１．０Ｖの電極電圧を生じ、作動中に維持する。従って、利用目的や予定の負荷に応じ、これよりはるかに高い総電圧を要することがある技術的な用途には、複数の燃料電池を一種の燃料電池スタックとして電気的に直列につなぎ、これら燃料電池から夫々供給される電極電圧の合計が要求される総電圧に一致し、又はこれを上回るようにするのが普通である。要求される総電圧に応じ、このような種類の燃料電池スタックにおける燃料電池の個数は例えば５０個又はそれ以上になる場合がある。
【０００４】
燃料電池設備でこのような燃料電池スタックを利用する際、個々の燃料電池をその機能性に関し継続的又は周期的に監視することが重要になる場合がある。即ち、経年劣化等の要因のため、例えば燃料電池の電解層に穴状の欠損が生じ、その結果、燃料電池に含まれる水素が酸素と直接的に接触する可能性がある。かかる場合、エネルギーの遊離と結びついた水素の触媒燃焼が起こり得、燃料電池へのガス供給を維持したままにしているとこの触媒燃焼が広がっていき、損傷領域を一層拡張しかねない。従って、この種の燃料電池スタックを確実かつ高い信頼性で作動させるため、機能障害や、特に電解層を貫通するガス漏出が生じた際、該当する燃料電池へのガス供給を最短の反応時間内に遮断し、それにより損傷の拡大を確実に防ぐ手段を設けることが考えられる。
【０００５】
この種の不具合やガス漏出を発見するため、各燃料電池から供給される電極電圧を適当な監視パラメータとして利用できる。即ち燃料電池でのガス漏出は、特に電極電圧の特徴的な低下として現われる。従って普段の作動パラメータが既知であれば、燃料電池について、例えばその設計に応じ特徴的な限界電圧値を設定できる。電極電圧がこの限界電圧値よりも低下した際、前述の如き種類の不具合が発生したと想定し、該当する燃料電池へのガス供給を遮断する。
【０００６】
ところが、多数の燃料電池を使った燃料電池設備では、個別的な電極電圧の監視は比較的高いコストを伴う。このとき、一方では燃料電池設備又は燃料電池スタックの総電圧だけを監視することが考えられるが、総電圧が低下したときに個別的に該当する燃料電池の特定ができず、従って故障原因が特定できない。他方では、燃料電池スタック内の個々の燃料電池、又は適当にまとめた燃料電池群で個別的な電圧測定をするのも、燃料電池全体の比較的高い電位のために難しい。この電位は、直列につながれた全部の燃料電池の個数に応じて、例えばキロボルト単位の値に達する場合さえある。
【０００７】
個々の燃料電池の個別的な電圧測定のために設けられる、絶縁性と反応速度に関する要求事項を満たす測定システムは、例えば電位分離のために前置した緩衝増幅器を、各測定チャネルに含むことができる。この際、ターンオフ信号を生成すべくピックアップした電池電圧信号の二次加工は、各電圧コンパレータで行われ、不変に設定された電圧限界値を下回った際にターンオフ信号が生成される。ところが、広範な燃料電池設備の内部で個々の燃料電池の電極電圧を個別的に検出することを可能にするこの種の測定装置は、特に絶縁性に関する要求事項のために、反応速度が高い場合は極めてコスト高になり、これには、必要な測定チャネル数が多いことも大きな要因となっている。
【０００８】
従って本発明の課題は、燃料電池又は多数の燃料電池を使った燃料電池設備の作動方法であって、これら燃料電池又は各々の燃料電池もしくは１群の燃料電池を、その機能性に関して、簡単な手段によって高い信頼性で監視することを可能にする方法を提供することである。さらに、この方法を実施するに特に適した燃料電池設備を提供することである。
【０００９】
この課題は本発明によれば、方法に関しては、これら燃料電池又は各燃料電池について、当該燃料電池から供給される出力電流の一定割合を光学活性部材に流し、この部材で生成される出力信号を参照して、当該燃料電池の機能性の程度を推定することによって解決される。
【００１０】
この際本発明が基礎とする考察は、個別の燃料電池の機能を高い信頼性をもって監視するには、各時点で供給される電極電圧を監視するのが望ましいということである。比較的少ない費用で二次加工するには、電圧値を早めに信号形態に変換しておくのがよく、このような信号形態により、一方では所要部品の個数を少なく抑えることができると共に、他方では、このような信号形態は格別に簡単かつ適当な方法で、本来の燃料電池ブロックから評価装置を確実に電位分離、即ち絶縁することを可能にする。そのため、燃料電池の機能監視のためのパラメータとして適当な電極電圧を、特別に早めに光学信号に変換する。
【００１１】
光学活性部材として、フォトカプラーやフォトダイオードを用いるとよい。この両候補は、特に部品の利用可能性が高く、格別に簡単な方法でこれら部品を相応の測定回路に組み込み得る。しかもこの設備は、各燃料電池の機能性につき、デジタル化された特徴的な出力信号を生成するので、全ての燃料電池に共通する評価ユニットで集中評価することが、格別に簡単な方法で可能である。
【００１２】
監視すべき燃料電池の数が多いときでも、比較的簡単な手段で具体化できる信頼性の高い燃料電池の機能監視には、その時点で存在する電極電圧を限界値と比較するだけで十分であり得る。従って特に有利な実施形態で、特に低いコストで具体化できる１つの監視法は、各個別の燃料電池について、その燃料電池の電極電圧が事前設定可能な電圧限界値を上回っているか、それとも下回っているかを監視するものであり、各電極電圧の絶対値の評価は省略できる。
【００１３】
この種の限界値を利用するに際し、燃料電池が事前に設定可能な電圧限界値の大きさの出力、即ち電極電圧を出しているときに、光学活性部材に供給される出力電流の割合が当該光学活性部材に特徴的な閾値電流に相当するよう光学活性部材に付属する前置部材を設定するとよい。この際、電圧値と電流値は、少なくとも事前に設定可能な電圧限界値の大きさの電極電圧のとき、光学活性部材に供給される電流がその活性化閾値を上回り、その結果この場合には光学的な出力信号を生成するよう設定する。それに対し、燃料電池から供給される出力、即ち電極電圧が事前設定可能な電圧限界値を下回ると、それに伴って光学活性部材に供給される電流もその活性化閾値を下回り、その結果、この場合には光学的な出力信号が消滅する。そして各燃料電池の機能性の判定は、付属の光学活性部材が光学的な出力信号を生成しているか否かを監視することで行う。
【００１４】
電気的に直列、即ち縦続接続した多数の燃料電池を監視する際、不具合の判定は論理的な「ＯＲ」演算の形式で行うとよく、監視中の燃料電池の１つに不具合を発見すると、燃料電池設備全体又は燃料電池スタック全体につき不具合信号を出力する。これは、縦続接続した多数の燃料電池を含む燃料電池設備において、各燃料電池を夫々に付属する光学活性部材により機能性を監視することで容易に実現できる。この場合、本来の故障元の個別的な特定は、フォトダイオードが夫々追加的に、操作員が観察できる光学的な視覚信号を出すことで可能となる。
【００１５】
前述の課題は、複数の燃料電池を使った燃料電池設備に関しては、これら燃料電池又は各々の燃料電池の出力電極が、負荷回路と並列につながれたサイドループを経て夫々相互に接続されており、このサイドループに光学活性部材が各々つながれていることで解決される。
【００１６】
この際、負荷回路と並列につながれたサイドループ、即ち監視すべき燃料電池と各々直列につながれた他の燃料電池とも並列につながれたサイドループは、このループにつながれた光学活性部材に供給可能な、燃料電池から供給される出力電流の一定割合の分岐を可能にする。この際、そこに用いられる部品の特徴的なパラメータに応じ、光学活性部材に供給される電流と、夫々監視すべき燃料電池から供給される出力、即ち電極電圧との間には、一義的な関数関係が成り立つ。従って光学活性部材に供給される電流の監視は、燃料電池から供給される出力、即ち電極電圧を推定することを可能にする。
【００１７】
光学活性部材では、これに供給される電流を、引き続き一義的な方法で光学的な出力信号に変換可能である。従ってこの出力信号は、同じく一義的な形で、燃料電池から供給される出力、即ち電極電圧との間に相関関係があるので、光学的な出力信号の監視を通じて燃料電池の出力、即ち電極電圧の監視、従って燃料電池の機能の監視が可能である。
【００１８】
この際、各燃料電池に付属する光学活性部材は、フォトカプラーやフォトダイオードで構成するとよい。更に別の有利な実施形態では、フォトダイオードを出力側で光学系を経て付属の光学センサ、特にフォトトランジスタと接続する。即ちこの設備では、デジタル又はデジタル化可能な信号は、光学活性部材から供給される出力信号に依存して出力され、それと同時に特に簡単な方法で、監視すべき燃料電池や燃料電池設備からの信頼性の高い絶縁と電位分離を保証する。
【００１９】
フォトダイオードはその電流・電圧特性に関し、燃料電池が事前に設定可能な電圧限界値の大きさの出力電圧、即ち電極電圧を出している際に、フォトダイオードに供給される出力電流の割合が、当該フォトダイオードの特徴的な閾値電流に相当するように設定するとよい。別の有利な実施形態では、各サイドループの前記光学活性部材又は各光学活性部材に、前置部材を直列につなぐ。この前置部材は、燃料電池が事前設定可能な電圧限界値の大きさの出力、即ち電極電圧を出している際、サイドループを経て流れる出力電流の割合が光学部材の特徴的な閾値電流に達するように設定すべく、設計又は構成すると好ましい。
【００２０】
つまりこれら両方の案では、各燃料電池の出力、即ち電極電圧が電圧限界値に達し、又はこれを上回っている際にだけ、光学活性部材が出力信号を出すことを保証する。それに対し、燃料電池の出力、即ち電極電圧が電圧限界値を下回っている際は、光学活性部材が出力信号を出すことはない。従って後続して配置した評価ユニットでは、各光学活性部材から出される出力信号が存在していれば、これに付属する燃料電池の機能性があると直接的に推定できる。
【００２１】
このとき前置部材は、特に直列抵抗として構成するとよい。出力電圧が比較的高い場合、例えば一緒につながれた燃料電池全体の１群を監視する場合には、前置部材としてツェナーダイオードを設けてもよい。
【００２２】
さらに別の有利な実施形態では、各光学活性部材に、出力信号を電気的な診断信号に変換する変換ユニットが付属し、この診断信号を１つの共通の評価ユニットに供給する。従って共通の評価ユニットでは、個々の燃料電池を対象とする個別的な監視や、燃料電池設備全体を対象とする大局的な監視や、燃料電池の各群を対象とする監視等が必要に応じ可能である。
【００２３】
本発明による利点は、特に各燃料電池から供給される出力電流の一定割合を光学活性部材に供給することで、監視すべき各燃料電池の機能性を特徴づける特に好都合な信号形態を生成可能な点にある。燃料電池の出力、即ち電極電圧に関し特徴的な光学信号を、空間的に燃料電池の直近で生成可能なので、一方では燃料電池の直近に配置するために燃料電池で生ずる特別な熱負荷に曝される部品の個数を少なく抑え、他方では、燃料電池設備自体からの電位分離が格別に簡単な方法で行える。更に、空間的に各燃料電池の直近に設ける部品、特にフォトカプラーやフォトダイオードは比較的小型なので、燃料電池の場所に直接組み付けることが特に簡単な方法で可能である。更に、監視すべき燃料電池設備に対する、後置した評価ユニットの電位分離は、特にフォトダイオードとの関連で光導波路を用いることで、任意の大きさの絶縁電圧迄行うことができる。
【００２４】
本発明の実施例について、図面を参照しながら詳しく説明する。
【００２５】
両方の図面中では、同じ部品には同じ符号が付している。
【００２６】
図１の燃料電池設備１は、電気エネルギーを生成する直流電源を構成する。この燃料電池設備１は、電気的に直列、即ち縦続接続された複数の燃料電池２を含み、そのうち本実施例では３つだけを模式的に示している。燃料電池設備１は、これ以外のあらゆる任意の個数の燃料電池２を含んでいてよく、具体的な用途で設けられる燃料電池２の総個数は、利用目的や負荷に応じ設定され、要求される総電圧や、個々の燃料電池２から供給可能な出力、即ち電極電圧に応じ決まる。燃料電池２を縦続接続することにより、燃料電池設備１から全体として供給可能な出力電圧は、個々の燃料電池２の出力電圧を加算することで与えられるので、燃料電池２の個数を適当に選択することで、要求される目標電圧を燃料電池設備１が出力電圧として供給することを保証できる。燃料電池設備１、即ち直列につながれた燃料電池２は、図１に示す負荷回路４を経て、詳しくは図示しない負荷、例えば直流消費部と接続されている。
【００２７】
燃料電池設備１は燃料電池２に加えて監視システム１０を含み、このシステムにより、各燃料電池２を継続的又は周期的に機能性に関しチェックできる。監視システム１０は、各燃料電池２について、これに付属する光学活性部材１２を含み、該部材は図１の実施例１ではフォトカプラーとして構成されている。各光学活性部材１２は、入力側では回線１４、１６を経て夫々付属の燃料電池２の電極１８、２０と接続されている。かくして回線１４、１６は、各光学活性部材１２を中につないだサイドループ２２を形成する。サイドループ２２は、負荷回路４および各燃料電池２と直列につながれた他の燃料電池２に対し電気的に並列につながれている。各サイドループ２２の内部では、光学活性部材１２に加え、前置部材２４、即ち本実施例では直列抵抗が電気的に直列につながっている。
【００２８】
図１に示す実施例では、フォトカプラーとして構成した光学活性部材１２を、出力側で評価ユニット２６と接続している。この際評価ユニット２６は、特に光学活性部材１２から供給される信号を処理しデジタル化すべく構成している。このように、この信号の二次加工は本実施例ではデジタル化した状態で行うので、比較的少ない回線数又はバスシステムを使っている場合でも、評価すべき信号を本来監視すべき燃料電池２に一義的に割り当て可能である。故障信号Ｓを生成すべく、評価ユニット２６は更に一種の論理「ＯＲ」演算のような形式で、個別の燃料電池２で発見された障害につき、燃料電池設備１全体についての故障信号Ｓを生成するよう構成している。評価ユニット２６で生じた故障信号Ｓに伴い、詳しくは図示しない方法で、一種の防護切断のように、該当する燃料電池２への、又は必要に応じ燃料電池設備１全体への燃料供給を停止する。
【００２９】
燃料電池設備１と、特に監視システム１０とは、燃料電池２の機能性の特に簡単な監視を行うよう構成している。即ち燃料電池設備１が作動すると、各燃料電池２が出力、即ち電極電圧Ｕを生ずる。この電圧Ｕに基づき、各燃料電池２は、負荷回路４に供給される第１の部分Ｉ１と、付属のサイドループ２２に供給される第２の部分Ｉ２とに分かれる出力電流Ｉを供給する。この際部分Ｉ１とＩ２の分割比は、負荷回路４とサイドループ２２における抵抗比により定まる。従って負荷回路４とサイドループ２２の抵抗比が既知なら、サイドループ２２に供給される割合Ｉ２に基づき、各燃料電池２の電極電圧Ｕも推定できる。
【００３０】
燃料電池２に機能性があるか否かの判定基準として、燃料電池から供給される電極電圧Ｕと電圧限界値ＵＧとの比較が使える。即ち、燃料電池２の電極電圧Ｕが電圧限界値ＵＧを上回っているなら、該電池２は機能性があると推定する。それに対し燃料電池２の電極電圧Ｕが電圧限界値ＵＧよりも低いなら、該電池２は不具合があると推定し、燃料電池２への燃料供給を直ちに止める。
【００３１】
燃料電池２が電圧限界値ＵＧよりも高い電極電圧Ｕを生成しており、従って機能性ありと判定するため、燃料電池設備１は、燃料電池２の電極電圧Ｕが電圧限界値ＵＧを上回っていると、この電池２に付属する光学部材１２が、評価ユニット２６に転送可能な出力信号Ａを生成するよう構成される。それに対し、燃料電池２の電極電圧Ｕが電圧限界値ＵＧより低いと、光学活性部材１２による出力信号Ａの生成は行わない。
【００３２】
そのため、フォトカプラーとして構成した光学活性部材１２および各サイドループ２２でこれと直列につながれた前置部材２４は、負荷回路４における抵抗比も考慮した上で、付属の燃料電池２が電圧限界値ＵＧの大きさの出力、即ち電極電圧Ｕを生成している際に、サイドループ２２における当該燃料電池２の出力電流Ｉの割合Ｉ２が、光学活性部材１２の特徴的な閾値電流の大きさにちょうど設定されるよう設計する。このときの特徴的な閾値電流とは、光学活性部材１２が、該閾値電流より多い電流の際には光学的な出力信号Ａを生成するが、この電流値より低い電流の際には生成しないことと定義される。
【００３３】
このように本燃料電池設備１では、全光学活性部材１２が出力信号Ａを生成しているなら、全燃料電池２が支障なく作動中と判断することを保証する。しかし光学活性部材１２の少なくとも１つが出力信号Ａを出していないなら、これに付属する燃料電池２に障害が起きていると判断する。この際は、該当する燃料電池２への燃料供給を止め、燃料電池設備１全体についての故障信号Ｓを発する。
【００３４】
図２に示す燃料電池設備１’は、各燃料電池２に関し付属のサイドループ２２につながれた光学活性部材１２としてフォトダイオードを有する。該ダイオードは出力側で、各々光導波路３０、特にグラスファイバーケーブルを経て、付属の感光性部品、即ちフォトトランジスタ３２と接続されている。この際フォトトランジスタ３２は、光導波路３０を経て光学信号Ｏが発生するとこれに対応する出力信号Ａを生成し、評価ユニット２６に提供するようにつながれている。
【００３５】
図２に示す実施例で光学活性部材１２として設けられたフォトダイオードとこれに付属する前置部材２４も、特に負荷回路４を考慮した上で、燃料電池２の電極電圧Ｕが電圧限界値ＵＧに達し、又はこれを上回っていると、サイドループ２２における燃料電池２の出力電流の部分Ｉ２が、各フォトダイオードの特徴的な閾値電流を上回るように設計されている。従ってこの実施形態でも、光学活性部材１２として設けたフォトダイオードは、各燃料電池２の電極電圧Ｕが十分に高く、従って燃料電池２に機能性がある場合にのみ、夫々光学的な出力信号Ａを供給し、各光導波路３０を経てこれを出力することを保証する。
【００３６】
しかも図２に示す燃料電池設備１’は、特に光導波路３０を使用しているために特に柔軟に利用可能であり、また、特に比較的高い絶縁電圧が可能である。即ち、本来の燃料電池２０に対する評価ユニット２６の比較的広範囲にわたる電気的分離が可能である。
【００３７】
別の実施形態では、図２の燃料電池設備１’を、サイドループ２２の前置部材２４を省略して構成してもよい。特に、燃料電池２に特徴的なおよび／又は負荷回路４につながれる負荷に特徴的な動作パラメータによっては重要となる可能性があるこのケースでは、フォトダイオード自体を、その電流・電圧特性が事前設定可能な電圧限界値ＵＧに合わせて所定の方法で適合化可能なように選択する。即ち、この場合のフォトダイオードは、電圧限界値ＵＧの大きさの電極電圧Ｕの際にサイドループ２２に供給される、各燃料電池２の出力電流Ｉの割合Ｕ２が、各フォトダイオードの特徴的な閾値電流に相当するよう選択又は設計する。
【００３８】
上述の何れのケースでも、光学活性部材１２が出力信号Ａを生成している際には、これに付属する燃料電池２は所定の電圧限界値ＵＧより大きな電極電圧Ｕを生成しており、従って機能性ありと推定可能なことを保証する。このように、必要に応じ継続的又は周期的な各燃料電池２の夫々の機能監視が格別に簡単な方法で可能であり、出力信号Ａがなくなれば、付属の燃料電池２に障害が起こったと推定できる。この監視方法の格別に高いフェールセーフティーは、燃料電池２の機能性が活性部品、即ち光学活性部材１２により行われることでも促進される。即ち、その結果動作状態や補助部品の利用性に無関係に、出力信号Ａが存在すれば付属の燃料電池２に機能性があると特に高い確実性で判断できる。
【図面の簡単な説明】
【図１】
複数の燃料電池と監視システムとを備える燃料電池設備を示す模式図である。
【図２】
燃料電池設備の別案の実施形態である。
【符号の説明】
１　燃料電池設備、２　燃料電池、４　負荷回路、１０　監視システム、
１２　光学活性部材、１４、１６　回線、１８、２０　電極、
２２　サイドループ、２４　前置部材、２６　評価ユニット、３０　光導波路、３２　フォトトランジスタ
【国際公開パンフレット】
2004512633.tif 000003
2004512633.tif 000004
2004512633.tif 000005
2004512633.tif 000006
2004512633.tif 000007
2004512633.tif 000008
2004512633.tif 000009
2004512633.tif 000010
2004512633.tif 000011
2004512633.tif 000012
2004512633.tif 000013
2004512633.tif 000014
2004512633.tif 000015
2004512633.tif 000016
2004512633.tif 000017
2004512633.tif 000018
2004512633.tif 000019
2004512633.tif 000020
2004512633.tif 000021
2004512633.tif 000022
2004512633.tif 000023
【国際調査報告】
2004512633.tif 000024
2004512633.tif 000025
2004512633.tif 000026
2004512633.tif 000027